(57)【要約】【課題】操作性の良いスイッチ部を備えたスロットル装置を提供する。【解決手段】スロットル装置１００は、回転操作を受けるグリップ部１ａが一体に取り付けられたグリップベース１と、回転量を検出するセンサ部２と、グリップベース１を付勢する復帰機構３０と、スイッチ部４と、収納空間５ａを備えたハウジング５と、を有し、復帰機構３０は、収納空間５ａに壁部５ｃによって仕切られた復帰機構収納部５ｂに配置され、センサ部２は壁部５ｃから離間して配置され、スイッチ部４はセンサ部２と壁部５ｃとの間に配置され、グリップ部１ａはハウジング５のセンサ部２が配置された側または復帰機構３０が配置された側に配置され、センサ部２または復帰機構３０の少なくとも一方はグリップ部１ａから延設された延設部１ｂに取り付けられ、グリップベース１から突出した突出部１ｃと壁部５ｃとが抜け止め機構５０を形成されている構成とした。【選択図】図１１
2015111535.tif 000002
【特許請求の範囲】
【請求項１】
自動二輪車のハンドルバーに対して回転可能に取り付けられるとともに、操作者から回転操作を受けるグリップ部が一体に取り付けられたグリップベースと、
前記グリップベースに取り付けられ、前記グリップベースの回転量を検出するセンサ部と、
前記グリップベースに取り付けられ、前記グリップベースを初期位置に復帰させる方向に付勢する復帰機構と、
所定の機能を動作させるためのスイッチ部と、
前記センサ部、前記復帰機構および前記スイッチ部を収納可能な収納空間を備えたハウジングと、を有するスロットル装置において、
前記ハウジングは、前記収納空間に壁部によって仕切られた復帰機構収納部を有し、
前記復帰機構は前記復帰機構収納部に配置され、
前記センサ部は前記復帰機構収納部の壁部から離間して配置され、
前記スイッチ部は前記センサ部と前記復帰機構収納部の壁部との間に配置され、
前記グリップ部は前記ハウジングの前記センサ部が配置された側または前記復帰機構が配置された側のいずれかに配置され、
前記グリップベースは前記グリップ部から突出するように延設された延設部を有し、前記センサ部または前記復帰機構の少なくとも一方は前記延設部に取り付けられ、
前記グリップベースから前記復帰機構収納部内に突出した突出部と前記壁部とが係合し、抜け止め機構が形成されている、
ことを特徴とするスロットル装置。
【請求項２】
前記復帰機構は、ねじりコイルばねであり、
前記ハウジングは前記壁部に切り欠き部を有し、
前記ねじりコイルばねの一端は、前記グリップベースと一体に回動するように、前記切り欠き部を介して前記グリップベースに取り付けられているとともに、
前記ねじりコイルばねの他端は、前記ハウジングに固定されていることを特徴とする請求項１に記載のスロットル装置。
【請求項３】
前記復帰機構は、
前記グリップベースに一体的に設けられるプーリと、
前記プーリに巻回されるワイヤと、
一端が前記ワイヤに接続される引張コイルばねと、を有し、
前記ハウジングは前記前記引張コイルばねを収納可能なばね取付部を、前記復帰機構収納部に連続して前記収納空間の外側に有し、
前記引張コイルばねは前記ばね取付部に収納されるとともに、他端が前記ばね取付部に固定され、
前記プーリは前記復帰機構収納部に収納されている、
ことを特徴とする請求項１に記載のスロットル装置。
【請求項４】
前記グリップベースは、前記グリップ部が前記ハウジングの前記センサ部が配置された側に配置され、
前記センサ部は前記延設部の根元側に取り付けられるとともに、前記復帰機構は前記延設部の先端側に取り付けられていることを特徴とする請求項１ないし請求項３のいずれかに記載のスロットル装置。
【請求項５】
前記グリップベースは、前記グリップ部が前記ハウジングの前記復帰機構が配置された側に配置され、
前記復帰機構は前記延設部の根元側に取り付けられるとともに、前記センサ部は前記延設部の先端側に取り付けられていることを特徴とする請求項１ないし請求項３のいずれかに記載のスロットル装置。
【請求項６】
前記センサ部は、
前記グリップベースに取り付けられるロータと、
前記ロータに取り付けられる摺動子と、
抵抗体パターンが設けられた基板と、を有し、
前記摺動子が前記抵抗体パターンに摺接することを特徴とする請求項１ないし請求項３のいずれかに記載のスロットル装置。
【請求項７】
前記センサ部は、
前記グリップベースに取り付けられるロータと、
前記ロータに取り付けられる摺動子と、
抵抗体パターンが設けられた基板と、を有し、
前記摺動子が前記抵抗体パターンに摺接することを特徴とする請求項４に記載のスロットル装置。
【請求項８】
前記センサ部は、
前記グリップベースに取り付けられるロータと、
前記ロータに取り付けられる摺動子と、
抵抗体パターンが設けられた基板と、を有し、
前記摺動子が前記抵抗体パターンに摺接することを特徴とする請求項５に記載のスロットル装置。
【発明の詳細な説明】
【技術分野】
【０００１】
本発明は、スロットル装置に関し、特に、スイッチ部を備えたスロットル装置に関するものである。
【背景技術】
【０００２】
自動二輪車のエンジンの出力の調整は、ハンドルに取り付けられたスロットル装置を回動させることで行われることが多い。昨今、スロットル装置はエンジンの出力の調整以外の操作、例えば、エンジン始動操作に用いられるスイッチなどが一体に組み込まれたものが増えてきている。このようなスロットル装置としては、下記の特許文献１に記載のスロットル装置が知られている。【０００３】
以下、図２６を用いて、特許文献１に記載のスロットル装置について説明する。図２６は特許文献１に記載のスロットル装置９００を示す図であり、図２６（ａ）はスロットル装置９００の外観を示す平面図であり、図２６（ａ）を図２６（ｂ）に示すＸ部の内部構造を示す断面図である。【０００４】
特許文献１に記載のスロットル装置９００は、図２６に示すように、自動二輪車の車幅方向に延設されて、前輪を操舵するためのハンドルバー９０２の右側端部に設けられている。ハンドルバー９０２には、略円筒状のスロットルパイプ９０６が所定角度内で回転自在に軸支されている。スロットルパイプ９０６の外周部には、ハンドルグリップ９０３が取り付けられており、自動二輪車の運転者はハンドルグリップ９０３を把持して前輪を操舵すると共に、ハンドルバー９０２に対するハンドルグリップ９０３の回転角度を任意に調整することで、自動二輪車の駆動源としてのエンジンの出力を調整することができる。【０００５】
また、ハンドルグリップ９０３より車体中央側の部分で、ハンドルバー９０２には、略円筒状のスロットルハウジング９１０が固定されている。スロットルハウジング９１０には、複数のハンドルスイッチが取り付けられている。複数のハンドルスイッチは、例えば、シーソー式のキルスイッチ９０５ａ、押圧ボタン式のハザードランプスイッチ９０５ｂおよびスタータスイッチ９０５ｃによって構成することができる。自動二輪車の運転者は、右手でハンドルグリップ９０３を把持した状態で、親指を伸ばして各スイッチを操作できる。【０００６】
スロットルハウジング９１０の内部には、スロットルパイプ９０６の回転角度を検知するスロットルセンサユニット９２０と、ハンドルグリップ９０３を初期位置に戻す方向の付勢力を与えるスロットル戻し機構９４０とが収納されている。ハンドルグリップ９０３は、所定角度内で回転可能に保持されると共に、このスロットル戻し機構９４０によって、エンジン出力を小さくする方向に常時付勢されている。なお、ハンドルバー９０２の右側端部には、グリップエンド９０４が固定されている。
【先行技術文献】
【特許文献】
【０００７】
【特許文献１】特許５０２３３９７号公報
【発明の概要】
【発明が解決しようとする課題】
【０００８】
このようなスロットル装置には、ハンドルグリップ９０３を把持した状態でも各スイッチを容易に操作できる操作性の良さが求められている。しかしながら、特許文献１に記載のスロットル装置９００は、ハンドルグリップ９０３を把持した状態で各ハンドルスイッチを操作しようとしたとき、各ハンドルスイッチはユニット内でハンドルグリップ９０３から一番遠い位置に配置されている。これは、スロットルセンサユニット９２０の隣にスロットル戻し機構９４０を並べて配置する構造のため、スロットル戻し機構９４０よりもハンドルグリップ９０３から離れた位置に各ハンドルスイッチを配置せざるを得ない為である。各ハンドルスイッチはハンドルグリップ９０３から一番遠い位置に配置されているため、特に手が小さい運転手が操作したときに、各ハンドルスイッチを操作するにあたって支障をきたす恐れがあった。【０００９】
本発明は、上述した課題を解決して、操作性の良いスイッチ部を備えたスロットル装置を提供するものである。
【課題を解決するための手段】
【００１０】
請求項１に記載のスロットル装置においては、自動二輪車のハンドルバーに対して回転可能に取り付けられるとともに、操作者から回転操作を受けるグリップ部が一体に取り付けられたグリップベースと、前記グリップベースに取り付けられ、前記グリップベースの回転量を検出するセンサ部と、前記グリップベースに取り付けられ、前記グリップベースを初期位置に復帰させる方向に付勢する復帰機構と、所定の機能を動作させるためのスイッチ部と、前記センサ部、前記復帰機構および前記スイッチ部を収納可能な収納空間を備えたハウジングと、を有するスロットル装置において、前記ハウジングは、前記収納空間に壁部によって仕切られた復帰機構収納部を有し、前記復帰機構は前記復帰機構収納部に配置され、前記センサ部は前記復帰機構収納部の壁部から離間して配置され、前記スイッチ部は前記センサ部と前記復帰機構収納部の壁部との間に配置され、前記グリップ部は前記ハウジングの前記センサ部が配置された側または前記復帰機構が配置された側のいずれかに配置され、前記グリップベースは前記グリップ部から突出するように延設された延設部を有し、前記センサ部または前記復帰機構の少なくとも一方は前記延設部に取り付けられ、前記グリップベースから前記復帰機構収納部内に突出した突出部と前記壁部とが係合し、抜け止め機構が形成されている、という特徴を有する。【００１１】
請求項２に記載のスロットル装置においては、前記復帰機構は、ねじりコイルばねであり、前記ハウジングは前記壁部に切り欠き部を有し、前記ねじりコイルばねの一端は、前記グリップベースと一体に回動するように、前記切り欠き部を介して前記グリップベースに取り付けられているとともに、前記ねじりコイルばねの他端は、前記ハウジングに固定されている、という特徴を有する。【００１２】
請求項３に記載のスロットル装置においては、前記復帰機構は、前記グリップベースに一体的に設けられるプーリと、前記プーリに巻回されるワイヤと、一端が前記ワイヤに接続される引張コイルばねと、を有し、前記ハウジングは前記前記引張コイルばねを収納可能なばね取付部を、前記復帰機構収納部に連続して前記収納空間の外側に有し、前記引張コイルばねは前記ばね取付部に収納されるとともに、他端が前記ばね取付部に固定され、前記プーリは前記復帰機構収納部に収納されている、という特徴を有する。【００１３】
請求項４に記載のスロットル装置においては、前記グリップベースは、前記グリップ部が前記ハウジングの前記センサ部が配置された側に配置され、前記センサ部は前記延設部の根元側に取り付けられるとともに、前記復帰機構は前記延設部の先端側に取り付けられている、という特徴を有する。【００１４】
請求項５に記載のスロットル装置においては、前記グリップベースは、前記グリップ部が前記ハウジングの前記復帰機構が配置された側に配置され、前記復帰機構は前記延設部の根元側に取り付けられるとともに、前記センサ部は前記延設部の先端側に取り付けられている、という特徴を有する。【００１５】
請求項６に記載のスロットル装置においては、前記センサ部は、前記グリップベースに取り付けられるロータと、前記ロータに取り付けられる摺動子と、抵抗体パターンが設けられた基板と、を有し、前記摺動子が前記抵抗体パターンに摺接する、という特徴を有する。
【発明の効果】
【００１６】
請求項１の発明によれば、センサ部と復帰機構とを離して配置することで、センサ部と復帰機構との間にスイッチ部を配置可能なスペースを確保でき、従来技術の構造に比べて、スイッチ部の配置位置をグリップ部に近づけることができる。よって、グリップ部を握った状態でもスイッチ部を操作しやすくすることができる。したがって、操作性の良いスイッチ部を備えたスロットル装置を提供することができる、という効果を奏する。【００１７】
請求項２の発明によれば、復帰機構をねじりコイルばねのみで構成できるので、簡易な機構で操作性の良いスロットル装置を提供することができる、という効果を奏する。【００１８】
請求項３の発明によれば、復帰機構をプーリ、ワイヤおよび引張コイルばねで構成し、引張コイルばねを収納空間の外側に設けたばね取付部に収納する構造とした。プーリおよびワイヤは、ねじりコイルばねの厚さ寸法よりも薄い厚さ寸法で形成することができる。また、引張コイルばねは、収納空間の外側に設けたばね取付部に収納されるため、付勢力を確保するために必要な大きさにしても、スロットル装置の幅方向の大きさには影響が出ない。したがって、幅方向のサイズが小さく、操作性の良いスロットル装置を提供することができる、という効果を奏する。【００１９】
請求項４の発明によれば、グリップ部をセンサ部側に配置することで、スイッチ部を復帰機構の幅方向の寸法分だけグリップ部側に寄せて配置することができる。よって、グリップ部を握った状態でもスイッチ部を操作しやすくすることができる。したがって、操作性の良いスイッチ部を備えたスロットル装置を提供することができる、という効果を奏する。【００２０】
請求項５の発明によれば、グリップ部を復帰機構側に配置することで、スイッチ部をセンサ部の幅方向の寸法分だけグリップ部側に寄せて配置することができる。よって、グリップ部を握った状態でもスイッチ部を操作しやすくすることができる。したがって、操作性の良いスイッチ部を備えたスロットル装置を提供することができる、という効果を奏する。【００２１】
請求項６の発明によれば、可変抵抗式のセンサとすることで、十分な検出精度が得られるととともに、低コストでスロットル装置を構成することができる、という効果を奏する。【００２２】
以上より、本発明によれば、操作性の良いスイッチ部を備えたスロットル装置を提供することができる。
【図面の簡単な説明】
【００２３】
【図１】第１実施形態におけるスロットル装置１００の構成を示す分解斜視図である。
【図２】第１実施形態におけるスロットル装置１００の外観を示す斜視図である。
【図３】第１実施形態における復帰機構３０であるねじりコイルばね３を示す図であり、図３（ａ）はねじりコイルばね３の外観を示す斜視図であり、図３（ｂ）は図３（ａ）に示すＹ２方向側から見た状態のねじりコイルばね３を示す側面図である。
【図４】第１実施形態におけるグリップベース１を示す図であり、図４（ａ）はグリップベース１の外観を示す斜視図であり、図４（ｂ）は図４（ａ）に示すＸ１方向側から見た状態のグリップベース１を示す斜視図である。
【図５】第１実施形態におけるグリップベース１を示す図であり、図５（ａ）は図４（ａ）に示すＹ２方向側から見た状態のグリップベース１を示す側面図であり、図５（ｂ）は図４（ａ）に示すＸ１方向側から見た状態のグリップベース１を示す側面図である。
【図６】第１実施形態におけるセンサ部２を示す図であり、図６（ａ）はセンサ部２の外観を示す斜視図であり、図６（ｂ）はセンサ部２の構成を示す分解斜視図である。
【図７】第１実施形態におけるハウジング５を示す図であり、図７（ａ）はハウジング５の外観を示す斜視図であり、図７（ｂ）は図７（ａ）に示すＸ１方向側から見た状態のハウジング５を示す斜視図である。
【図８】第１実施形態におけるカバー５ｄを示す図であり、図８（ａ）はカバー５ｄの外観を示す斜視図であり、図８（ｂ）は図８（ａ）に示すＹ１方向側から見た状態のカバー５ｄを示す平面図である。
【図９】第１実施形態におけるケース５ｅを示す図であり、図９（ａ）はケース５ｅの外観を示す斜視図であり、図９（ｂ）は図９（ａ）に示すＸ１方向側から見た状態のケース５ｅを示す斜視図であり、図９（ｃ）は図９（ａ）に示すＹ２方向側から見た状態のケース５ｅを示す側面図である。
【図１０】図７に記載の断面Ａ−Ａを示す断面斜視図である。
【図１１】図２に示すＹ２方向側から見た状態のスロットル装置１００を示す図である。
【図１２】図１１に記載の断面Ｂ−Ｂを示す断面図である。
【図１３】第２実施形態におけるスロットル装置２００の構成を示す分解斜視図である。
【図１４】第２実施形態におけるスロットル装置２００の外観を示す斜視図である。
【図１５】第２実施形態におけるグリップベース１１を示す図であり、図１５（ａ）はグリップベース１１の外観を示す斜視図であり、図１５（ｂ）は図１５（ａ）に示すＹ１方向側から見た状態のグリップベース１１を示す斜視図である。
【図１６】復帰機構６０を示す図であり、図１６（ａ）は復帰機構６０の外観を示す分解斜視図であり、図１６（ｂ）は図１６（ａ）に示すＸ１方向側から見た状態の復帰機構の外観を示す斜視図である。
【図１７】第２実施形態におけるセンサ部１２を示す図であり、図１７（ａ）はセンサ部１２の外観を示す斜視図であり、図１７（ｂ）はセンサ部１２の構成を示す分解斜視図である。
【図１８】第２実施形態におけるハウジング１５を示す図であり、図１８（ａ）はハウジング１５の外観を示す斜視図であり、図１８（ｂ）は図１８（ａ）に示すＸ２方向側から見た状態のハウジング１５を示す側面図である。
【図１９】第２実施形態におけるカバー１５ｄを示す図であり、図１９（ａ）はカバー１５ｄの外観を示す斜視図であり、図１９（ｂ）は図１９（ａ）に示すＹ１方向側から見た状態のカバー１５ｄを示す平面図である。
【図２０】第２実施形態におけるケース１５ｅを示す図であり、図２０（ａ）はケース１５ｅの外観を示す斜視図であり、図２０（ｂ）は図２０（ｂ）に示すＹ２方向側から見た状態のケース１５ｅを示す平面図である。
【図２１】図１８に記載の断面Ｃ−Ｃを示す断面図である。
【図２２】図１４に示すＹ２方向側から見た状態のスロットル装置２００を示す側面図である。
【図２３】第２実施形態におけるグリップベース１１とセンサ部１２とが係合された状態を示す図であり、図２３（ａ）はグリップベース１１とセンサ部１２とが係合された状態を示す斜視図であり、図２３（ｂ）は図２３（ａ）に示すＹ２方向側から見た状態のグリップベース１１とセンサ部１２とを示す側面図である。
【図２４】図２２に記載の断面Ｄ−Ｄを示す断面図である。なお、図２４においては、説明を容易にするためにセンサ部１２は記載していない。
【図２５】図２２に記載の断面Ｄ−Ｄにおいて、第２実施形態における復帰機構６０が操作された状態を示す断面図である。
【図２６】特許文献１に記載のスロットル装置９００を示す図であり、図２６（ａ）はスロットル装置９００の外観を示す平面図であり、図２６（ａ）を図２６（ｂ）に示すＸ部の内部構造を示す断面図である。
【発明を実施するための形態】
【００２４】
［第１実施形態］
以下に第１実施形態におけるスロットル装置１００について説明する。
【００２５】
まず始めに本実施形態におけるスロットル装置１００の構成について図１ないし図１０を用いて説明する。図１は第１実施形態におけるスロットル装置１００の構成を示す分解斜視図である。図２は第１実施形態におけるスロットル装置１００の外観を示す斜視図である。図３は第１実施形態における復帰機構３０であるねじりコイルばね３を示す図であり、図３（ａ）はねじりコイルばね３の外観を示す斜視図であり、図３（ｂ）は図３（ａ）に示すＹ２方向側から見た状態のねじりコイルばね３を示す側面図である。図４は第１実施形態におけるグリップベース１を示す図であり、図４（ａ）はグリップベース１の外観を示す斜視図であり、図４（ｂ）は図４（ａ）に示すＸ１方向側から見た状態のグリップベース１を示す斜視図である。図５は第１実施形態におけるグリップベース１を示す図であり、図５（ａ）は図４（ａ）に示すＹ２方向側から見た状態のグリップベース１を示す側面図であり、図５（ｂ）は図４（ａ）に示すＸ１方向側から見た状態のグリップベース１を示す側面図である。図６は第１実施形態におけるセンサ部２を示す図であり、図６（ａ）はセンサ部２の外観を示す斜視図であり、図６（ｂ）はセンサ部２の構成を示す分解斜視図である。図７は第１実施形態におけるハウジング５を示す図であり、図７（ａ）はハウジング５の外観を示す斜視図であり、図７（ｂ）は図７（ａ）に示すＸ１方向側から見た状態のハウジング５を示す斜視図である。図８は第１実施形態におけるカバー５ｄを示す図であり、図８（ａ）はカバー５ｄの外観を示す斜視図であり、図８（ｂ）は図８（ａ）に示すＹ１方向側から見た状態のカバー５ｄを示す平面図である。図９は第１実施形態におけるケース５ｅを示す図であり、図９（ａ）はケース５ｅの外観を示す斜視図であり、図９（ｂ）は図９（ａ）に示すＸ１方向側から見た状態のケース５ｅを示す斜視図であり、図９（ｃ）は図９（ａ）に示すＹ２方向側から見た状態のケース５ｅを示す側面図である。図１０は図７に記載の断面Ａ−Ａを示す断面斜視図である。
【００２６】
スロットル装置は、図１に示すように、グリップベース１と、センサ部２と、復帰機構３０と、スイッチ部４と、ハウジング５と、を備え、図２に示すように、グリップベース１の一部であるグリップ部１ａおよび、グリップベース１の周囲に配置されたスイッチ部４を操作することが可能である。
【００２７】
スイッチ部４は、第１実施形態においては、プッシュ操作型のスイッチ装置であり、図１に示すように、２個のスイッチ装置により構成される。
【００２８】
復帰機構３０は、第１実施形態においては、ねじりコイルばね３のみで形成されている。ねじりコイルばね３は、図３に示すように、金属線材を巻回して形成されるばね部３ａと、金属線材の一端部である固定側端部３ｂと、金属線材の他端部である可動側端部３ｃと、を有する。固定側端部３ｂは、ばね部３ａの一端部側（Ｘ２方向側）から下方へ突出して形成され、可動側端部３ｃは、ばね部３ａの他端部側（Ｘ１方向側）からばね部３ａの開口に交差するとともに、ばね部３ａから離れる方向（Ｘ１方向）へ突出して形成されている。
【００２９】
グリップベース１は合成樹脂材からなり、図４に示すように、円筒状に形成され、自動二輪車の運転手によって把持される箇所であるグリップ部１ａが一体に取り付けられている。グリップ部１ａは円筒状に形成された把持部１ｄを有し、把持部１ｄの一方側（Ｘ１方向側）の端部には、円筒の外周面から外方へ向かって突出し、外周面の全周に渡って板状に形成された鍔部１ｅを有している。また、グリップベース１はグリップ部１ａの鍔部１ｅ側から突出するように延設された延設部１ｂを有している。なお、延設部１ｂはグリップ部１ａに連続して円筒状に形成されており、グリップ部１ａおよび延設部１ｂの内部空間は、グリップベース１の一端側から他方端側まで貫通する取付孔１ｆを形成している。取付孔１ｆは、自動二輪車のハンドルバーＨＤ（図１参照）を挿通可能な大きさの径を持つ貫通孔である。また、グリップベース１は、延設部１ｂの根元側（Ｘ２方向側）に、グリップ部１ａの鍔部１ｅから離間するとともに、延設部１ｂから突出した突出部１ｃが形成されている。突出部１ｃは、延設部１ｂの外周面の全周に渡って形成されている。また、グリップベース１は、延設部１ｂの先端側（Ｘ１方向側）に、延設部１ｂから突出した伝達部１ｇが形成されている。伝達部１ｇは、図５に示すように、延設部１ｂの外周面の全周に渡って板状に形成されている。また、グリップベース１は、伝達部１ｇの一部、図５に示すＹ１方向側からＺ２方向側にかけて、Ｘ１方向側からの平面視にて外方へ扇状に突出した規制部１ｈと、規制部１ｈから外方へ突出した当接部１ｋとを有している。なお、当接部１ｋはＺ１方向側の端部に切り欠かれたフック部１ｍを有し、フック部１ｍはねじりコイルばね３の可動側端部３ｃを挿入可能な大きさに切り欠かれている。また、グリップベース１は、延設部１ｂの先端部の、取付孔１ｆを挟んで対抗する位置に、一対の凸型係合部１ｎを有している。凸型係合部１ｎは、延設部１ｂの先端部から、延設部１ｂが延びる方向（Ｘ１方向）へ突出して形成されている。なお、上記にて、伝達部１ｇは、グリップベース１と一体に形成されていると説明したが、伝達部１ｇとグリップベース１とを分割した構造であっても良い。例えば、グリップ部１ａに突起部を設け、伝達部１ｇをグリップ部１ａと係合させるような構造としても良い。
【００３０】
センサ部２は、可変抵抗器型の位置検出センサであり、第１実施形態においては、回転角度を検出することができる。センサ部２は、図６に示すように、ロータ２ａと、摺動子２ｂと、基板２ｃと、カバー２ｅと、からなる。ロータ２ａは合成樹脂材からなり、筒状に形成された筒部２ｆを有し、筒部２ｆの外周には筒部２ｆの外方へ突出し、板状に形成された摺動子保持部２ｇが形成されている。摺動子保持部２ｇは、２箇所に設けられており、筒部２ｆを挟んで対向する位置に配設されている。また、ロータ２ａは、筒部２ｆの、摺動子保持部２ｇが設けられている側に対向する側（Ｘ２方向側）の端部に一対の凹型係合部２ｍを有している。凹型係合部２ｍは、筒部２ｆの開口を挟んで対向する位置に、グリップベース１の凸型係合部１ｎを挿入可能な凹形状に形成され、凸型係合部１ｎに対応した位置に配置されている。なお、筒部２ｆはグリップベース１の取付孔１ｆと同じ径寸法に形成されている。摺動子２ｂは金属薄板からなり、Ｕ字形状に形成され、両端部はそれぞれ３本に分割されている。基板２ｃは略円形の平板状に形成され、中央部には中央孔２ｈが形成されている。また、基板２ｃの一方（Ｘ２方向側）の面には、中央孔２ｈの周囲を囲うように円弧状に形成された抵抗体パターン２ｄが設けられている。カバー２ｅは、合成樹脂材からなり、中央にロータ２ａの筒部２ｆを挿通可能な挿通孔２ｋを有し、内部はＸ１方向側が開放され、基板２ｃおよび摺動子２ｂを収納可能な中空状に形成されている。摺動子２ｂは、Ｕ字形状に形成された摺動子２ｂの両端がＸ１方向側に突出するように、摺動子保持部２ｇのＸ１方向側にそれぞれ保持されている。摺動子２ｂが保持されたロータ２ａは、摺動子２ｂと抵抗体パターン２ｄとが向かい合うように、筒部２ｆのＸ１方向側を中央孔２ｈに挿入するとともに、筒部２ｆのＸ２方向側をカバー２ｅのＸ１方向側から挿通孔２ｋに挿通する。基板２ｃとカバー２ｅとは、間に摺動子２ｂを収納した状態で係止される。このように基板２ｃとカバー２ｅとの間に収納された摺動子２ｂの両端部は、抵抗体パターン２ｄに圧接している。また、ロータ２ａは基板２ｃおよびカバー２ｅに対して回動可能に保持されている。すなわち、ロータ２ａと一体に摺動子２ｂは回動し、摺動子２ｂが抵抗体パターン２ｄに摺接する。このように摺動子２ｂが抵抗体パターン２ｄに摺接し、抵抗体パターン２ｄと摺動子２ｂとの圧接箇所が変化することで、センサ部２の出力電圧は変化する。センサ部２はロータ２ａの回動に伴って出力電圧が変化するため、出力電圧の変化を見ることでロータ２ａの回転角度を算出することができる。
【００３１】
ハウジング５は合成樹脂材からなり、図７に示すように、内部に収納空間５ａを備え、直方体状に形成されている。なお、ハウジング５はカバー５ｄとケース５ｅとからなり、ケース５ｅの上部（Ｚ１方向側）を覆うようにカバー５ｄを配置することで、内部にセンサ部２、復帰機構３０およびスイッチ部４を収納可能な収納空間５ａが形成される。カバー５ｄは、図８に示すように、ハウジング５（図７参照）を対角線に沿って上側半分を切り取ったように形成されている。カバー５ｄは円筒の曲面状に突出した曲面部５ｆを有し、曲面部５ｆにはスイッチ部４が露出可能なスイッチ用窓部５ｇが形成されている。なお、本実施形態においては、２つのスイッチ用窓部５ｇが上下方向（Ｚ１−Ｚ２方向）に並べて配置されている。また、曲面部５ｆの両側（Ｘ１−Ｘ２方向側）には、曲面部５ｆの側方を覆うようにカバー側側面５ｈが形成され、カバー側側面５ｈの端部（Ｙ１方向側）には、グリップベース１の延設部１ｂまたはハンドルバーＨＤを挿通可能に半円状に切り欠かれたカバー側孔部５ｋがそれぞれ設けられている。なお、Ｘ１方向側のカバー側孔部５ｋがハンドルバーＨＤを挿通可能であり、Ｘ２方向側のカバー側孔部５ｋが延設部１ｂを挿通可能である。カバー５ｄは一方（Ｙ１方向側）が開放され、内部には収納空間５ａの一部となる空間が形成される。カバー５ｄの内部の空間はカバー側壁部５ｍによって分割されており、カバー側壁部５ｍはＸ２方向側のカバー側側面５ｈから、復帰機構３０（ねじりコイルばね３）を収納可能な間隔を空けて設けられている。なお、カバー側壁部５ｍの端面には、カバー側孔部５ｋと同心で同形状の切り欠き形状が設けられている。
【００３２】
ケース５ｅは、図９に示すように、ハウジング５（図７参照）を対角線に沿って下側半分を切り取ったように形成されている。ケース５ｅは、カバー側側面５ｈに対応するケース側側面５ｐを有し、ケース５ｅは一方（Ｚ１方向側）が開放され、内部には収納空間５ａの一部となる空間が形成される。ケース５ｅの内部の空間はケース側壁部５ｎによって部分的に分割されており、Ｘ２方向側のケース側側面５ｐから、復帰機構３０（ねじりコイルばね３）を収納可能な間隔を空けて設けられている。なお、ケース側側面５ｐは、カバー側孔部５ｋに対応した位置に、カバー側孔部５ｋと同じ径寸法のケース側孔部５ｑを有している。ケース側壁部５ｎは、上下方向（Ｚ１−Ｚ２方向）において、ケース５ｅの内部底面からケース側孔部５ｑが設けられている高さまで突出するように形成され、奥側（Ｙ１方向側）においては、奥側の側面から離間している。また、ケース側壁部５ｎは、上端部に、ケース側孔部５ｑと同形状の切り欠き形状が設けられている。また、ケース５ｅは、ケース側壁部５ｎとＸ２方向側のケース側側面５ｐとを繋ぎ、壁状に形成された係止壁部５ｒを有している。
【００３３】
このようなカバー５ｄをケース５ｅに重ねて配置することで、図７に示す、内部に収納空間５ａを備えたハウジング５が形成される。また、カバー側孔部５ｋとケース側孔部５ｑとが組み合うことで、孔部５ｓが形成される。また、図１０に示すように、カバー側壁部５ｍとケース側壁部５ｎとが組み合うことで壁部５ｃが形成される。このように壁部５ｃが形成されることで、ハウジング５は、収納空間５ａに壁部５ｃによって仕切られた復帰機構収納部５ｂを、壁部５ｃとＸ２方向側の側面との間に有する。復帰機構収納部５ｂは復帰機構３０（ねじりコイルばね３）を収納可能な大きさに形成されている。また、ハウジング５は、壁部５ｃが奥側（Ｙ１方向側）の側面から離間した切り欠き部５ｔを有している。
【００３４】
次にスロットル装置１００の構造について図１１および図１２を用いて説明する。図１１は図２に示すＹ２方向側から見た状態のスロットル装置１００を示す図である。なお、説明を容易にするために、ハウジング５のカバー５ｄは記載していない。図１２は図１１に記載の断面Ｂ−Ｂを示す断面図である。なお、スイッチ部４の記載は省略している。
【００３５】
復帰機構３０であるねじりコイルばね３は、図１１に示すように、内部にグリップベース１の延設部１ｂが挿入される。また、グリップベース１とセンサ部２とは、延設部１ｂの凸型係合部１ｎとロータ２ａの凹型係合部２ｍとを係合し、ロータ２ａがグリップベース１に取り付けられる。すなわち、センサ部２が延設部１ｂに取り付けられた状態で、取付孔１ｆおよび筒部２ｆの内部に自動二輪車のハンドルの一部であるハンドルバーＨＤが挿通される。なお、グリップベース１およびセンサ部２のロータ２ａは、ハンドルバーＨＤに回転可能に取り付けられており、センサ部２のロータ２ａはグリップベース１の回動に連動して回動する。このようにハンドルバーＨＤが挿通された状態でグリップベース１およびセンサ部２は、ハウジング５の収納空間５ａの内部に配置される。ただし、実際にはケース５ｅの内部に配置された状態であり、別途、カバー５ｄとケース５ｅとを一体に係止することで収納空間５ａが形成される。なお、復帰機構３０（ねじりコイルばね３）は復帰機構収納部５ｂに配置され、図１２に示すように、ねじりコイルばね３の一端（可動側端部３ｃ）は、切り欠き部５ｔを介して復帰機構収納部５ｂから突出し、グリップベース１のフック部１ｍに取り付けられているとともに、ねじりコイルばね３の他端（固定側端部３ｂ）は、ハウジング５の係止壁部５ｒに圧接することで固定されている。また、図１１に示すように、グリップベース１から復帰機構収納部５ｂ内に突出した突出部１ｃと壁部５ｃとが係合し、グリップベース１のハンドルバーＨＤからの抜け止め機構５０が形成されている。なお、壁部５ｃに対向して配置された復帰機構収納部５ｂの内壁部も突出部１ｃと係合することで抜け止め機構５０として機能する。また、センサ部２は復帰機構収納部５ｂの壁部５ｃから離間して配置される。スイッチ部４は、センサ部２と復帰機構収納部５ｂの壁部５ｃとの間に配置され、スイッチ部４の一部がスイッチ用窓部５ｇ（図７参照）から露出するように、ケース５ｅに重ねてカバー５ｄを配置するとともに係止することでハウジング５が形成され、スロットル装置１００が構成される。したがって、第１実施形態におけるスロットル装置１００においては、グリップベース１は、グリップ部１ａがハウジング５の復帰機構３０が配置された側に配置され、復帰機構３０は延設部１ｂの根元側に取り付けられるとともに、センサ部２は延設部１ｂの先端側に取り付けられている。なお、ハウジング５が形成されるときに、ハウジング５はハンドルバーＨＤに固定され、センサ部２は基板２ｃおよびカバー２ｅがハウジング５に固定され、グリップベース１およびセンサ部２のロータ２ａはハンドルバーＨＤを軸として回動可能に保持される。
【００３６】
次にスロットル装置１００の動作について説明する。
【００３７】
スロットル装置１００は、スイッチ部４による入力操作と、グリップベース１を介したセンサ部２による入力操作が可能である。スイッチ部４による入力操作は、プッシュ操作型のスイッチ装置であるスイッチ部４をプッシュ操作することで、内部回路の導通状態を切り替えることができ、内部回路の導通状態が切り換わることが信号となり、所定の機能、例えば、エンジンの始動操作などを動作させることができる。
【００３８】
グリップベース１を介したセンサ部２による入力操作においては、ハンドルバーＨＤに回動可能に取り付けられたグリップベース１は、グリップ部１ａを介して操作者から回転操作を受ける。グリップベース１が回動すると、グリップベース１に連結されるとともに、ハンドルバーＨＤに回動可能に取り付けられたセンサ部２のロータ２ａは、グリップベース１と一体となり回動する。ロータ２ａに取り付けられた摺動子２ｂは抵抗体パターン２ｄ上を摺動する。このようにグリップベース１の回動に連動して摺動子２ｂと抵抗体パターン２ｄとの接触位置が変わることで、出力電圧が変化し、グリップベース１の回転量を検出するができる。グリップベース１の回転量を検出することで、自動二輪車のエンジンの出力の調整を行うことができる。
【００３９】
また、復帰機構３０であるねじりコイルばね３の一端（可動側端部３ｃ）は、グリップベース１と一体に回動するように取り付けられているとともに、グリップベース１を開動作させる前の状態である初期位置に復帰させる方向に付勢している。そのため、操作者がグリップベース１への回動操作をやめると、復帰機構３０の付勢力により、グリップベース１は初期位置に復帰する。
【００４０】
以下、第１実施形態としたことによる効果について説明する。
【００４１】
第１実施形態のスロットル装置１００では、自動二輪車のハンドルバーＨＤに対して回転可能に取り付けられるとともに、操作者から回転操作を受けるグリップ部１ａが一体に取り付けられたグリップベース１と、グリップベース１に取り付けられ、グリップベース１の回転量を検出するセンサ部２と、グリップベース１に取り付けられ、グリップベース１を初期位置に復帰させる方向に付勢する復帰機構３０と、所定の機能を動作させるためのスイッチ部４と、センサ部２、復帰機構３０およびスイッチ部４を収納可能な収納空間５ａを備えたハウジング５と、を有するスロットル装置において、ハウジング５は、収納空間５ａに壁部５ｃによって仕切られた復帰機構収納部５ｂを有し、復帰機構３０は復帰機構収納部５ｂに配置され、センサ部２は復帰機構収納部５ｂの壁部５ｃから離間して配置され、スイッチ部４はセンサ部２と復帰機構収納部５ｂの壁部５ｃとの間に配置され、グリップ部１ａはハウジング５のセンサ部２が配置された側または復帰機構３０が配置された側のいずれかに配置され、グリップベース１はグリップ部１ａから突出するように延設された延設部１ｂを有し、センサ部２または復帰機構３０の少なくとも一方は延設部１ｂに取り付けられ、グリップベース１から復帰機構収納部５ｂ内に突出した突出部１ｃと壁部５ｃとが係合し、抜け止め機構５０が形成されている、構成とした。
【００４２】
これにより、センサ部２と復帰機構３０とを離して配置することで、センサ部２と復帰機構３０との間にスイッチ部４を配置可能なスペースを確保でき、従来技術の構造に比べて、スイッチ部４の配置位置をグリップ部１ａに近づけることができる。よって、グリップ部１ａを握った状態でも操作者の指がスイッチ部４まで届きやすくなり、スイッチ部４を操作しやすくすることができる。したがって、操作性の良いスイッチ部を備えたスロットル装置を提供することができる、という効果を奏する。
【００４３】
また、これにより、突出部１ｃと壁部５ｃとを係合させることで抜け止め機構５０が形成され、簡易な構造でグリップベース１のハンドルバーＨＤからの抜け落ちを防止することができる。
【００４４】
また、第１実施形態のスロットル装置１００では、復帰機構３０は、ねじりコイルばね３であり、ハウジング５は壁部５ｃに切り欠き部５ｔを有し、ねじりコイルばね３の一端は、グリップベース１と一体に回動するように、切り欠き部５ｔを介してグリップベース１に取り付けられているとともに、ねじりコイルばね３の他端は、ハウジング５に固定されている、構成とした。
【００４５】
これにより、復帰機構３０をねじりコイルばね３のみで構成できるので、簡易な機構で操作性の良いスロットル装置を提供することができる、という効果を奏する。
【００４６】
また、第１実施形態のスロットル装置１００では、グリップベース１は、グリップ部１ａがハウジング５の復帰機構３０が配置された側に配置され、復帰機構３０は延設部１ｂの根元側に取り付けられるとともに、センサ部２は延設部１ｂの先端側に取り付けられている、構成とした。
【００４７】
これにより、グリップ部１ａを復帰機構３０側に配置することで、スイッチ部４をセンサ部２の幅方向の寸法分だけグリップ部１ａ側に寄せて配置することができる。よって、グリップ部１ａを握った状態でもスイッチ部４を操作しやすくすることができる。したがって、操作性の良いスイッチ部を備えたスロットル装置を提供することができる。
【００４８】
また、第１実施形態のスロットル装置１００では、センサ部２は、グリップベース１に取り付けられるロータ２ａと、ロータ２ａに取り付けられる摺動子２ｂと、抵抗体パターン２ｄが設けられた基板２ｃと、を有し、摺動子２ｂが抵抗体パターン２ｄに摺接する、構成とした。
【００４９】
これにより、センサ部２を可変抵抗式のセンサとすることで、十分な検出精度が得られるととともに、ホール素子などを用いた磁気式のセンサを用いる場合に比べて低コストでスロットル装置を構成することができる、という効果を奏する。
【００５０】
［第２実施形態］
以下に第２実施形態におけるスロットル装置２００について説明する。
【００５１】
まず始めに本実施形態におけるスロットル装置２００の構成について図１３ないし図２１を用いて説明する。図１３は第２実施形態におけるスロットル装置２００の構成を示す分解斜視図である。図１４は第２実施形態におけるスロットル装置２００の外観を示す斜視図である。図１５は第２実施形態におけるグリップベース１１を示す図であり、図１５（ａ）はグリップベース１１の外観を示す斜視図であり、図１５（ｂ）は図１５（ａ）に示すＹ１方向側から見た状態のグリップベース１１を示す斜視図である。図１６は復帰機構６０を示す図であり、図１６（ａ）は復帰機構６０の外観を示す分解斜視図であり、図１６（ｂ）は図１６（ａ）に示すＸ１方向側から見た状態の復帰機構の外観を示す斜視図である。図１７は第２実施形態におけるセンサ部１２を示す図であり、図１７（ａ）はセンサ部１２の外観を示す斜視図であり、図１７（ｂ）はセンサ部１２の構成を示す分解斜視図である。図１８は第２実施形態におけるハウジング１５を示す図であり、図１８（ａ）はハウジング１５の外観を示す斜視図であり、図１８（ｂ）は図１８（ａ）に示すＸ２方向側から見た状態のハウジング１５を示す側面図である。図１９は第２実施形態におけるカバー１５ｄを示す図であり、図１９（ａ）はカバー１５ｄの外観を示す斜視図であり、図１９（ｂ）は図１９（ａ）に示すＹ１方向側から見た状態のカバー１５ｄを示す平面図である。図２０は第２実施形態におけるケース１５ｅを示す図であり、図２０（ａ）はケース１５ｅの外観を示す斜視図であり、図２０（ｂ）は図２０（ｂ）に示すＹ２方向側から見た状態のケース１５ｅを示す平面図である。図２１は図１８に記載の断面Ｃ−Ｃを示す断面図である。
【００５２】
第２実施形態におけるスロットル装置２００は、図１３に示すように、グリップベース１１と、センサ部１２と、復帰機構６０と、スイッチ部１４と、ハウジング１５と、を備え、図１４に示すように、グリップベース１１の一部であるグリップ部１１ａおよび、グリップベース１１の周囲に配置されたスイッチ部１４を操作することが可能である。
【００５３】
スイッチ部１４は、第２実施形態においては、プッシュ操作型のスイッチ装置であり、図１３に示すように、２個のスイッチ装置により構成される。
【００５４】
グリップベース１１は合成樹脂材からなり、図１５に示すように、円筒状に形成され、自動二輪車の運転手によって把持される箇所であるグリップ部１１ａが一体に取り付けられている。グリップ部１１ａは円筒状に形成された把持部１１ｄを有し、把持部１１ｄの一方側（Ｘ１方向側）の端部には、円筒の外周面から外方へ向かって突出し、外周面の全周に渡って板状に形成された鍔部１１ｅを有している。また、グリップベース１１はグリップ部１１ａの鍔部１１ｅ側から突出するように延設された延設部１１ｂを有している。なお、延設部１１ｂはグリップ部１１ａに連続して円筒状に形成されており、グリップ部１１ａおよび延設部１１ｂの内部空間は、グリップベース１１の一端側から他方端側まで貫通する取付孔１１ｆを形成している。取付孔１１ｆは、自動二輪車のハンドルバーＨＤ（図１３参照）を挿通可能な大きさの径を持つ貫通孔である。また、グリップベース１１は、延設部１１ｂの先端側（Ｘ１方向側）に、延設部１１ｂから突出した突出部１ｃが形成されている。突出部１１ｃは延設部１１ｂの外周面から外方へ突出するとともに、延設部１１ｂの外周面の全周に渡って設けられた２つのガイド部１１ｇが離間して配置されることで形成されている。なお、ガイド部１１ｇは、延設部１１ｂの外周面の周回方向において同じ位置に、同じ大きさ、同じ形状に切り欠かれたピン溝１１ｈを有する。第２実施形態においては、ピン溝１１ｈはガイド部１１ｇのＺ１方向側に１箇所設けられている。また、グリップベース１１は、延設部１１ｂの根元側（Ｘ２方向側）に、延設部１１ｂが延出する方向に沿って溝状に形成された係合溝１１ｋを有している。第２実施形態においては、係合溝１１ｋは延設部１１ｂのＺ１方向側に１箇所設けられている。
【００５５】
復帰機構６０は、第２実施形態においては、図１６に示すように、プーリ６と、ワイヤ７と、引張コイルばね８と、ばね留めピン９と、ワイヤ留めピン１０と、を有して形成されている。なお、第２実施形態においては、グリップベース１１の突出部１１ｃ（図１５参照）がプーリ６の機能を兼ねている。すなわち、プーリ６はグリップベース１１に一体に設けられている。ワイヤ７は金属線材からなり屈曲性を備え、グリップベース１１のガイド部１１ｇ同士の間に配置可能な線径に形成されている。引張コイルばね８は金属線材を巻回してなるコイルばね部８ａを有し、コイルばね部８ａの両端にフック部８ｂを備えてなり、弾性を有している。ばね留めピン９は金属材からなり、棒状に形成されている。ワイヤ留めピン１０は金属材からなり、断面が円形の棒状に形成され、グリップベース１１のピン溝１１ｈに挿入可能な大きさに形成されている。引張コイルばね８の一端側（Ｚ２方向側）のフック部８ｂはばね留めピン９に係合され、他端側（Ｚ１方向側）のフック部８ｂは、ワイヤ７の一端側に係合している。ワイヤ７の他端側はワイヤ留めピン１０に係合され、ワイヤ留めピン１０はプーリ６のピン溝１１ｈに挿入されるとともに、ワイヤ７の他端側はガイド部１１ｇ同士の間に配置される。このようにして復帰機構６０が形成される。なお、実際には、ばね留めピン９は所定の箇所に固定される。
【００５６】
センサ部１２は、可変抵抗器型の位置検出センサであり、第２実施形態においては、回転角度を検出することができる。センサ部１２は、図１７に示すように、ロータ１２ａと、摺動子１２ｂと、基板１２ｃと、カバー１２ｅと、からなる。ロータ１２ａは合成樹脂材からなり、筒状に形成された筒部１２ｆを有し、筒部１２ｆの外周には筒部１２ｆの外方へ突出し、板状に形成された摺動子保持部１２ｇが形成されている。摺動子保持部１２ｇは、２箇所に設けられており、筒部１２ｆを挟んで対向する位置に配設されている。また、ロータ１２ａは、筒部１２ｆの内周面から、筒部１２ｆの中心軸に向かって突出する係合突部１２ｍを有する。係合突部１２ｍは、筒部１２ｆを挟んで、一方（Ｙ１方向側）の摺動子保持部１２ｇの裏側となる位置に、筒部１２ｆの両端を繋ぐようにリブ形状に形成されている。また、係合突部１２ｍは、グリップベース１１の係合溝１１ｋに挿入可能な大きさに形成されている。なお、筒部１２ｆはグリップベース１１の取付孔１１ｆと同じ径寸法に形成されている。摺動子１２ｂは金属薄板からなり、Ｕ字形状に形成され、両端部はそれぞれ３本に分割されている。基板１２ｃは略円形の平板状に形成され、中央部には中央孔１２ｈが形成されている。また、基板１２ｃの一方（Ｘ１方向側）の面には、中央孔１２ｈの周囲を囲うように円弧状に形成された抵抗体パターン１２ｄが設けられている。カバー１２ｅは、合成樹脂材からなり、中央にロータ１２ａの筒部１２ｆを挿通可能な挿通孔１２ｋを有し、内部はＸ２方向側が開放され、基板１２ｃおよび摺動子１２ｂを収納可能な中空状に形成されている。摺動子１２ｂは、Ｕ字形状に形成された摺動子１２ｂの両端がＸ２方向側に突出するように、摺動子保持部１２ｇのＸ２方向側にそれぞれ保持されている。摺動子１２ｂが保持されたロータ１２ａは、摺動子１２ｂと抵抗体パターン１２ｄとが向かい合うように、筒部１２ｆのＸ２方向側を中央孔１２ｈに挿入するとともに、筒部１２ｆのＸ１方向側をカバー１２ｅのＸ２方向側から挿通孔１２ｋに挿通する。基板１２ｃとカバー１２ｅとは、間に摺動子１２ｂを収納した状態で係止される。このように基板１２ｃとカバー１２ｅとの間に収納された摺動子１２ｂの両端部は、抵抗体パターン１２ｄに圧接している。また、ロータ１２ａは基板１２ｃおよびカバー１２ｅに対して回動可能に保持されている。すなわち、ロータ１２ａと一体に摺動子１２ｂは回動し、摺動子１２ｂが抵抗体パターン１２ｄに摺接する。このように摺動子１２ｂが抵抗体パターン１２ｄに摺接し、抵抗体パターン１２ｄと摺動子１２ｂとの圧接箇所が変化することで、センサ部１２の出力電圧は変化する。センサ部１２はロータ１２ａの回動に伴って出力電圧が変化するため、出力電圧の変化を見ることでロータ１２ａの回転角度を算出することができる。
【００５７】
ハウジング１５は合成樹脂材からなり、図１８に示すように、内部に収納空間１５ａを備え、直方体状に形成されている。なお、ハウジング１５はカバー１５ｄとケース１５ｅとからなり、ケース１５ｅの上部（Ｚ１方向側）を覆うようにカバー１５ｄを配置することで、内部にセンサ部１２、復帰機構６０およびスイッチ部１４を収納可能な収納空間５ａが形成される。カバー１５ｄは、図１９に示すように、ハウジング１５（図１８参照）を対角線に沿って上側半分を切り取ったように形成されている。カバー１５ｄは円筒の曲面状に突出した曲面部１５ｆを有し、曲面部１５ｆにはスイッチ部１４が露出可能なスイッチ用窓部１５ｇが形成されている。なお、本実施形態においては、２つのスイッチ用窓部１５ｇが上下方向（Ｚ１−Ｚ２方向）に並べて配置されている。また、曲面部１５ｆの両側（Ｘ１−Ｘ２方向側）には、曲面部１５ｆの側方を覆うようにカバー側側面１５ｈが形成され、カバー側側面１５ｈの端部（Ｙ１方向側）には、グリップベース１１の延設部１１ｂまたはハンドルバーＨＤを挿通可能に半円状に切り欠かれたカバー側孔部１５ｋがそれぞれ設けられている。なお、Ｘ１方向側のカバー側孔部１５ｋがハンドルバーＨＤを挿通可能であり、Ｘ２方向側のカバー側孔部１５ｋが延設部１１ｂを挿通可能である。カバー１５ｄは一方（Ｙ１方向側）が開放され、内部には収納空間１５ａの一部となる空間が形成される。カバー１５ｄの内部の空間はカバー側壁部１５ｍによって分割されており、カバー側壁部１５ｍはＸ１方向側のカバー側側面１５ｈから、復帰機構６０のプーリ６（突出部１１ｃ）を収納可能な間隔を空けて設けられている。なお、カバー側壁部１５ｍの端面には、カバー側孔部１５ｋと同心で同形状の切り欠き形状が設けられている。
【００５８】
ケース１５ｅは、図２０に示すように、ハウジング１５（図７参照）を対角線に沿って下側半分を切り取ったように形成されている。ケース１５ｅは、カバー側側面１５ｈに対応するケース側側面１５ｐを有し、ケース１５ｅは一方（Ｚ１方向側）が開放され、内部には収納空間１５ａの一部となる空間が形成される。ケース１５ｅの内部の空間はケース側壁部１５ｎによって部分的に分割されており、Ｘ１方向側のケース側側面１５ｐから、復帰機構６０のプーリ６（突出部１１ｃ）を収納可能な間隔を空けて設けられている。なお、ケース側側面１５ｐは、カバー側孔部１５ｋに対応した位置に、カバー側孔部１５ｋと同じ径寸法のケース側孔部１５ｑを有している。ケース側壁部１５ｎは、上下方向（Ｚ１−Ｚ２方向）において、ケース１５ｅの内部底面からケース側孔部１５ｑが設けられている高さまで突出するように形成され、奥側（Ｙ１方向側）においては、奥側の側面から離間している。また、ケース側壁部１５ｎは、上端部に、ケース側孔部１５ｑと同形状の切り欠き形状が設けられている。また、ケース１５ｅは、下方（Ｚ２方向）へ突出したばね取付部１５ｒを有している。図２１に示すように、ばね取付部１５ｒは内部が中空で円筒状に形成され、上方はケース１５ｅの内部空間に連続して設けられており、下方は開放されていない。なお、ばね取付部１５ｒはケース側壁部１５ｎとＸ１方向側のケース側側面１５ｐとの間に繋がっている。また、ばね取付部１５ｒは、内部に引張コイルばね８を収納可能な大きさに形成され空間を有している。また、ばね取付部１５ｒには、側壁の、引張コイルばね８を収納可能な空間を挟んで対向する位置に、ばね留めピン９を圧入可能な貫通孔であるピン用孔１５ｕがそれぞれ設けられており、第２実施形態においては、Ｙ１−Ｙ２方向へ貫通して設けられている。
【００５９】
このようなカバー１５ｄをケース１５ｅに重ねて配置することで、図１８に示す、内部に収納空間１５ａを備えたハウジング１５が形成される。また、カバー側孔部１５ｋとケース側孔部１５ｑとが組み合うことで、孔部１５ｓが形成される。また、図２１に示すように、カバー側壁部１５ｍとケース側壁部１５ｎとが組み合うことで壁部１５ｃが形成される。このように壁部１５ｃが形成されることで、図１９および図２０に示すように、ハウジング１５は、収納空間１５ａに壁部１５ｃによって仕切られた復帰機構収納部１５ｂを、壁部１５ｃとＸ１方向側の側面との間に有する。復帰機構収納部１５ｂは復帰機構６０のプーリ６（突出部１１ｃ）を収納可能な大きさに形成されている。また、ハウジング１５は、壁部１５ｃが奥側（Ｙ１方向側）の側面から離間した切り欠き部１５ｔを有している。また、ハウジング１５はばね取付部１５ｒを、復帰機構収納部１５ｂに連続して収納空間１５ａの外側に有する構造となる。
【００６０】
次にスロットル装置２００の構造について図２２ないし図２４を用いて説明する。図２２は図１４に示すＹ２方向側から見た状態のスロットル装置２００を示す側面図である。なお、図２２においては、説明を容易にするために、カバー１５ｄは記載していない。図２３は第２実施形態におけるグリップベース１１とセンサ部１２とが係合された状態を示す図であり、図２３（ａ）はグリップベース１１とセンサ部１２とが係合された状態を示す斜視図であり、図２３（ｂ）は図２３（ａ）に示すＹ２方向側から見た状態のグリップベース１１とセンサ部１２とを示す側面図である。図２４は図２２に記載の断面Ｄ−Ｄを示す断面図である。なお、図２４においては、説明を容易にするためにセンサ部１２は記載していない。
【００６１】
グリップベース１１は、図２２に示すように、取付孔１１ｆ（図１５参照）に自動二輪車のハンドルの一部であるハンドルバーＨＤが挿通され、ハンドルバーＨＤを中心に回動可能に取り付けられている。また、図２３に示すように、センサ部１２は、ロータ１２ａの筒部１２ｆ（図１７参照）に延設部１１ｂが挿通され、延設部１１ｂの根元側（Ｘ２方向側）に鍔部１１ｅから離間させて配置される。このとき、筒部１２ｆの内壁部に設けられた係合突部１２ｍ（図１７参照）は延設部１１ｂに設けられた係合溝１１ｋ（図１５参照）に挿入され、係合されている。したがって、ロータ１２ａはグリップベース１１と一体にハンドルバーＨＤを中心に回動可能となる。一体となったグリップベース１１、センサ部１２およびハンドルバーＨＤは、図２２に示すように、ハンドルバーＨＤおよび延設部１１ｂがハウジング１５の孔部１５ｓに相通されるとともに、センサ部１２が収納空間１５ａの復帰機構収納部１５ｂが設けられた側の反対側の側壁に接触させた状態で配置される。ただし、実際にはケース１５ｅの内部に配置された状態であり、別途、カバー１５ｄ（図１８参照）とケース１５ｅとを一体に係止することで収納空間１５ａが形成され、復帰機構６０は復帰機構収納部１５ｂに配置される。スイッチ部１４は、センサ部１２と復帰機構収納部１５ｂの壁部１５ｃとの間にそれぞれ配置され、スイッチ部１４の一部がスイッチ用窓部１５ｇ（図１８参照）からハウジング１５の外方へ露出するように、ケース１５ｅに重ねてカバー１５ｄを配置するとともに係止することでハウジング１５が形成され、スロットル装置２００が構成される。したがって、第２実施形態におけるスロットル装置２００においては、グリップベース１１は、グリップ部１１ａがハウジング１５のセンサ部１２が配置された側に配置され、センサ部１２は延設部１１ｂの根元側に取り付けられるとともに、復帰機構６０は延設部１１ｂの先端側に取り付けられている。なお、ハウジング１５が形成されるときに、ハウジング１５はハンドルバーＨＤに固定され、センサ部１２は基板１２ｃおよびカバー１２ｅがハウジング１５に固定され、グリップベース１１およびセンサ部１２のロータ１２ａはハンドルバーＨＤを軸として回動可能に保持される。
【００６２】
また、以下に、復帰機構６０の構造について説明する。図２４に示すように、ばね留めピン９は、ハウジング１５のピン用孔１５ｕ同士を架橋するように、ピン用孔１５ｕに圧入され、保持されている。引張コイルばね８は、両端のフック部８ｂが上下方向（Ｚ１−Ｚ２方向）を向くように、ばね取付部１５ｒ内に配置されている。ばね取付部１５ｒ内に配置された引張コイルばね８は、一端（Ｚ２方向側）のフック部８ｂがばね留めピン９に係合されることでばね取付部１５ｒに固定されるとともに、他端のフック部８ｂはワイヤ７の一端に係合されている。また、ワイヤ７は他端をばね取付部１５ｒから復帰機構収納部１５ｂ（図２０参照）に延出するとともに、他端をワイヤ留めピン１０と係合している。また、図２２に示すように、グリップベース１１に一体に設けられるプーリ６は、壁部５ｃおよびハウジング１５のＸ１方向側の側壁とに係合するとともに、回動可能な状態で復帰機構収納部１５ｂ（図２０参照）に収納されている。さらに、図２４に示すように、ワイヤ留めピン１０と係合し、復帰機構収納部１５ｂ（図２０参照）に延出したワイヤ７の他端は、プーリ６に巻回され、ワイヤ留めピン１０がピン溝１１ｈ（図２３参照）に挿入され係合することで、復帰機構６０が構成される。このように構成された復帰機構６０は、図２４に示す矢印Ｒ１方向へグリップベース１１が回動するようにグリップベース１１を付勢している。また、図２２に示すように、プーリ６（突出部１１ｃ）が、壁部５ｃおよびハウジング１５のＸ１方向側の側壁とに係合するように、復帰機構収納部１５ｂ（図２０参照）に収納されることで、抜け止め機構８０が形成されている。
【００６３】
次にスロットル装置２００の動作について図２２、図２４および図２５を用いて説明する。図２５は図２２に記載の断面Ｄ−Ｄにおいて、第２実施形態における復帰機構６０が操作された状態を示す断面図である。なお、操作後の状態は破線で示している。
【００６４】
スロットル装置２００は、スイッチ部１４による入力操作と、グリップベース１１を介したセンサ部１２による入力操作が可能である。スイッチ部１４による入力操作は、プッシュ操作型のスイッチ装置であるスイッチ部１４をプッシュ操作することで、内部回路の導通状態を切り替えることができ、内部回路の導通状態が切り換わることが信号となり、所定の機能、例えば、エンジンの始動操作などを動作させることができる。
【００６５】
グリップベース１１を介したセンサ部１２による入力操作においては、図２２に示す、ハンドルバーＨＤに回動可能に取り付けられたグリップベース１１は、グリップ部１１ａを介して操作者から回転操作を受ける。グリップベース１１が回動すると、グリップベース１１に連結されるとともに、ハンドルバーＨＤに回動可能に取り付けられたセンサ部１２のロータ１２ａ（図１７参照）は、グリップベース１１と一体となり回動する。ロータ１２ａに取り付けられた摺動子１２ｂ（図１７参照）は抵抗体パターン１２ｄ（図１７参照）上を摺動する。このようにグリップベース１１の回動に連動して摺動子１２ｂと抵抗体パターン１２ｄとの接触位置が変わることで、出力電圧が変化し、グリップベース１１の回転量を検出するができる。グリップベース１１の回転量を検出することで、自動二輪車のエンジンの出力の調整を行うことができる。
【００６６】
また、復帰機構６０は、グリップベース１１が操作されていない初期状態においては、図２４に示すように、引張コイルばね８は縮んだ状態となり、ワイヤ７は引張コイルばね８側に引き寄せられ、ワイヤ７と係合しているプーリ６はワイヤ７により矢印Ｒ１方向へ回動した状態で保持されている。また、グリップベース１１が操作され、図２５に示すように、矢印Ｒ２方向へ回動すると、グリップベース１１と一体に設けられたプーリ６は矢印Ｒ２方向へ回動する。プーリ６が矢印Ｒ２方向へ回動することで、ワイヤ７はプーリ６に巻きつくようにして矢印Ｒ２方向へ引き寄せられ、引張コイルばね８はＺ２方向へ引っ張られる。このように、引張コイルばね８が引っ張られることで、操作者がグリップベース１１への操作をやめると、引張コイルばね８の付勢力により復帰機構６０は図２４に示す初期状態に戻る。
【００６７】
以下、第２実施形態としたことによる効果について説明する。
【００６８】
第２実施形態のスロットル装置２００では、復帰機構６０は、グリップベース１１に一体的に設けられるプーリ６と、プーリ６に巻回されるワイヤ７と、一端がワイヤ７に接続される引張コイルばね８と、を有し、ハウジング１５は引張コイルばね８を収納可能なばね取付部１５ｒを、復帰機構収納部１５ｂに連続して収納空間１５ａの外側に有し、引張コイルばね８はばね取付部１５ｒに収納されるとともに、他端がばね取付部１５ｒに固定され、プーリ６は復帰機構収納部１５ｂに収納されている、構成とした。
【００６９】
これにより、復帰機構６０をプーリ６、ワイヤ７および引張コイルばね８で構成し、引張コイルばね８を収納空間１５ａの外側に設けたばね取付部１５ｒに収納する構造とした。プーリ６およびワイヤ７は、ねじりコイルばね３の厚さ寸法よりも薄い厚さ寸法で形成することができる。また、引張コイルばね８は、収納空間１５ａの外側に設けたばね取付部１５ｒに収納されるため、付勢力を確保するために必要な大きさにしても、スロットル装置の幅方向の大きさには影響が出ない。したがって、幅方向のサイズが小さく、操作性の良いスロットル装置を提供することができる、という効果を奏する。
【００７０】
また、本実施形態のスロットル装置２００では、グリップベース１１は、グリップ部１１ａがハウジング１５のセンサ部１２が配置された側に配置され、センサ部１２は延設部１１ｂの根元側に取り付けられるとともに、復帰機構６０は延設部１１ｂの先端側に取り付けられている、構成とした。
【００７１】
これにより、グリップ部１１ａをセンサ部１２側に配置することで、スイッチ部１４を復帰機構６０の幅方向の寸法分だけグリップ部１１ａ側に寄せて配置することができる。よって、グリップ部１１ａを握った状態でもスイッチ部１４を操作しやすくすることができる。したがって、操作性の良いスイッチ部を備えたスロットル装置を提供することができる、という効果を奏する。
【００７２】
以上のように、本発明の実施形態に係るスロットル装置を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００７３】
[変形例１]
グリップ部、復帰機構およびセンサ部の配置関係は、グリップ部はハウジングのセンサ部が配置された側または復帰機構が配置された側のいずれかに配置されていればよい。第１実施形態におけるスロットル装置１００においては、グリップ部１ａは復帰機構３０が配置された側に配置され、復帰機構３０は延設部１ｂの根元側に取り付けられるとともに、センサ部２は延設部１ｂの先端側に取り付けられている構成とした。また、第２実施形態におけるスロットル装置２００においては、グリップ部１１ａはセンサ部１２が配置された側に配置され、センサ部１２は延設部１１ｂの根元側に取り付けられるとともに、復帰機構６０は延設部１１ｂの先端側に取り付けられている構成としたが、以下のような配置関係であっても良い。スロットル装置１００の配置関係において、復帰機構３０を復帰機構６０に置き換えた構成、またはスロットル装置２００の配置関係において、復帰機構６０を復帰機構３０に置き換えた構成であっても良い。ただし、復帰機構３０と復帰機構６０との置き換えに伴い、それ以外の構成部品を一部形状変更するなどの必要が生じる。
【００７４】
これにより、第１実施形態におけるスロットル装置１００および第２実施形態におけるスロットル装置２００と同様に、操作性の良いスイッチ部を備えたスロットル装置を提供することができる。特に、第１実施形態の配置関係において、復帰機構３０を復帰機構６０に置き換えた構成は、復帰機構３０の厚み寸法よりも復帰機構６０の厚み寸法が小さいため、よりグリップ部とスイッチ部との距離を近づけることができ、さらに操作性の良いスイッチ部を備えたスロットル装置を提供することができる。
【００７５】
[変形例２]
第１実施形態におけるスイッチ部４、および第２実施形態におけるスイッチ部１４は、プッシュ操作型のスイッチ装置としたが、スライド操作型のスイッチ装置であっても良い。また、スイッチ部４およびスイッチ部１４はそれぞれ２個ずつ配置されているが、必要に応じて個数を変更しても良い。
【００７６】
[変形例３]
第１実施形態におけるセンサ部２、および第２実施形態におけるセンサ部１２は、可変抵抗器型の位置検出センサとしたが、ホール素子などを用いた磁気式の位置検出センサであっても良い。
【符号の説明】
【００７７】
１      グリップベース
１ａ    グリップ部
１ｂ    延設部
１ｃ    突出部
１ｄ    把持部
１ｅ    鍔部
１ｆ    取付孔
１ｇ    伝達部
１ｈ    規制部
１ｋ    当接部
１ｍ    フック部
１ｎ    凸型係合部
２      センサ部
２ａ    ロータ
２ｂ    摺動子
２ｃ    基板
２ｄ    抵抗体パターン
２ｅ    カバー
２ｆ    筒部
２ｇ    摺動子保持部
２ｈ    中央孔
２ｋ    挿通孔
２ｍ    凹型係合部
３      ねじりコイルばね
３ａ    ばね部
３ｂ    固定側端部
３ｃ    可動側端部
４      スイッチ部
５      ハウジング
５ａ    収納空間
５ｂ    復帰機構収納部
５ｃ    壁部
５ｄ    カバー
５ｅ    ケース
５ｆ    曲面部
５ｇ    スイッチ用窓部
５ｈ    カバー側側面
５ｋ    カバー側孔部
５ｍ    カバー側壁部
５ｎ    ケース側壁部
５ｐ    ケース側側面
５ｑ    ケース側孔部
５ｒ    係止壁部
５ｓ    孔部
５ｔ    切り欠き部
６      プーリ
７      ワイヤ
８      引張コイルばね
８ａ    コイルばね部
８ｂ    フック部
９      ばね留めピン
１０    ワイヤ留めピン
１１    グリップベース
１１ａ  グリップ部
１１ｂ  延設部
１１ｃ  突出部
１１ｄ  把持部
１１ｅ  鍔部
１１ｆ  取付孔
１１ｇ  ガイド部
１１ｈ  ピン溝
１１ｋ  係合溝
１２    センサ部
１２ａ  ロータ
１２ｂ  摺動子
１２ｃ  基板
１２ｄ  抵抗体パターン
１２ｅ  カバー
１２ｆ  筒部
１２ｇ  摺動子保持部
１２ｈ  中央孔
１２ｋ  挿通孔
１２ｍ  係合突部
１４    スイッチ部
１５    ハウジング
１５ａ  収納空間
１５ｂ  復帰機構収納部
１５ｃ  壁部
１５ｄ  カバー
１５ｅ  ケース
１５ｆ  曲面部
１５ｇ  スイッチ用窓部
１５ｈ  カバー側側面
１５ｋ  カバー側孔部
１５ｍ  カバー側壁部
１５ｎ  ケース側壁部
１５ｐ  ケース側側面
１５ｑ  ケース側孔部
１５ｒ  ばね取付部
１５ｓ  孔部
１５ｔ  切り欠き部
１５ｕ  ピン用孔
３０    復帰機構
５０    抜け止め機構
６０    復帰機構
８０    抜け止め機構
１００  スロットル装置
２００  スロットル装置
ＨＤ    ハンドルバー
【図１】
2015111535.tif 000003
【図２】
2015111535.tif 000004
【図３】
2015111535.tif 000005
【図４】
2015111535.tif 000006
【図５】
2015111535.tif 000007
【図６】
2015111535.tif 000008
【図７】
2015111535.tif 000009
【図８】
2015111535.tif 000010
【図９】
2015111535.tif 000011
【図１０】
2015111535.tif 000012
【図１１】
2015111535.tif 000013
【図１２】
2015111535.tif 000014
【図１３】
2015111535.tif 000015
【図１４】
2015111535.tif 000016
【図１５】
2015111535.tif 000017
【図１６】
2015111535.tif 000018
【図１７】
2015111535.tif 000019
【図１８】
2015111535.tif 000020
【図１９】
2015111535.tif 000021
【図２０】
2015111535.tif 000022
【図２１】
2015111535.tif 000023
【図２２】
2015111535.tif 000024
【図２３】
2015111535.tif 000025
【図２４】
2015111535.tif 000026
【図２５】
2015111535.tif 000027
【図２６】
2015111535.tif 000028
【国際調査報告】
2015111535.tif 000029
2015111535.tif 000030
2015111535.tif 000031
2015111535.tif 000032